(57)【特許請求の範囲】
【請求項１】
モバイル局によって基地局のアイデンティティを捕捉する時間を改善するための方法であって、
前記基地局のグローバル一意属性、前記基地局の第１のローカル一意属性、および前記基地局の第２のローカル一意属性を含むデータを要求することと、
前記要求に応答してデータを受信することと、前記データは、少なくとも前記第１のローカル一意属性および前記第２のローカル一意属性を含み、前記第１のローカル一意属性は、サブフレームのタイムスロットに存在するミッドアンブルインデックスであり、前記ミッドアンブルインデックスは、前記サブフレームの前記タイムスロット内の２つのデータペイロード部分の間に存在する、
前記データが前記グローバル一意属性を含まなかったと決定することと、
前記第１のローカル一意属性および前記第２のローカル一意属性に少なくとも部分的に基づいて、前記基地局の前記アイデンティティを捕捉することと、
を備える、方法。
【請求項２】
前記第１のローカル一意属性および第２のローカル一意属性を、データベースにおける値と比較することをさらに備え、ここにおいて前記データベースは、複数の項目を含み、前記複数の項目の各々は、基準基地局に関連するデータのトリプレットを含む、請求項１に記載の方法。
【請求項３】
前記データのトリプレットは、基準グローバル一意属性、第１の基準ローカル一意属性、および第２の基準ローカル一意属性を含み、ここにおいて前記基準グローバル一意属性、前記第１の基準ローカル一意属性、および前記第２の基準ローカル一意属性は、前記基準基地局に関連付けられる、請求項２に記載の方法。
【請求項４】
所定の長さの時間、前記データベースに留まっていた項目の前記データベース内の所定のエントリを除去することと、
前記モバイル局に地理的に近接する基地局に関連する現在の項目を有する前記データベース内の特定の項目を前記受信したデータに基づいて更新することと、
をさらに備える、請求項２に記載の方法。
【請求項５】
前記基地局の前記グローバル一意属性は、前記基地局のセルＩＤを備え、前記基地局の前記第１のローカル一意属性は、前記基地局のセルパラメータＩＤを備え、前記基地局の前記第２のローカル一意属性は、前記基地局の一次周波数を備える、請求項１に記載の方法。
【請求項６】
前記モバイル局は、ＴＤ−ＳＣＤＭＡ環境にしたがって動作する、請求項１に記載の方法。
【請求項７】
前記第１のローカル一意属性または前記第２のローカル一意属性に基づいて、前記グローバル一意属性の値を決定するために少なくとも１つの推断を行うことをさらに備える、請求項１に記載の方法。
【請求項８】
前記少なくとも１つの推断を行うことは、追加の推断を行うことをさらに備え、前記追加の推断の数は、少なくとも１つの所定の基準に基づいて制限される、請求項７に記載の方法。
【請求項９】
モバイル局によって基地局のアイデンティティを捕捉する時間を改善するための装置であって、
基地局のグローバル一意属性、前記基地局の第１のローカル一意属性、および前記基地局の第２のローカル一意属性を含むデータを要求するように構成された送信機と、
前記要求に応答してデータを受信するように構成された受信機と、前記データは、少なくとも前記第１のローカル一意属性および前記第２のローカル一意属性を含み、前記第１のローカル一意属性は、サブフレームのタイムスロットに存在するミッドアンブルインデックスであり、前記ミッドアンブルインデックスは、前記サブフレームの前記タイムスロット内の２つのデータペイロード部分の間に存在する、
前記データが前記グローバル一意属性を含まなかったと決定し、
前記第１のローカル一意属性および前記第２のローカル一意属性に少なくとも部分的に基づいて、前記基地局のアイデンティティを捕捉する、
ように構成されたプロセッサと
を備える、装置。
【請求項１０】
前記プロセッサは、前記第１のローカル一意属性および第２のローカル一意属性を、データベースにおける値と比較するようにさらに構成され、ここにおいて前記データベースは、複数の項目を含み、前記複数の項目の各々は、基準基地局に関連するデータのトリプレットを含む、請求項９に記載の装置。
【請求項１１】
前記データのトリプレットは、基準グローバル一意属性、第１の基準ローカル一意属性、および第２の基準ローカル一意属性を含み、前記基準グローバル一意属性、前記第１の基準ローカル一意属性、および前記第２の基準ローカル一意属性は、前記基準基地局に関連付けられる、請求項１０に記載の装置。
【請求項１２】
前記プロセッサは、
所定の長さの時間、前記データベースに留まっていた項目の前記データベース内の所定のエントリを除去し、
前記モバイル局に地理的に近接する基地局に関連する現在の項目を有する前記データベース内の特定の項目を前記受信したデータに基づいて更新する、
ようにさらに構成される、請求項１０に記載の装置。
【請求項１３】
前記基地局の前記グローバル一意属性は、前記基地局のセルＩＤを備え、前記基地局の前記第１のローカル一意属性は、前記基地局のセルパラメータＩＤを備え、前記基地局の前記第２のローカル一意属性は、前記基地局の一次周波数を備える、請求項９に記載の装置。
【請求項１４】
前記モバイル局は、ＴＤ−ＳＣＤＭＡ環境にしたがって動作する、請求項９に記載の装置。
【請求項１５】
前記プロセッサは、前記第１のローカル一意属性または前記第２のローカル一意属性に基づいて、前記グローバル一意属性の値を決定するために少なくとも１つの推断を行うようにさらに構成される、請求項９に記載の装置。
【請求項１６】
前記プロセッサは、追加の推断を行うようにさらに構成され、前記追加の推断の数は、少なくとも１つの所定の基準に基づいて制限される、請求項１５に記載の装置。
【請求項１７】
モバイル局によって基地局のアイデンティティを捕捉する時間を改善するための装置であって、
基地局のグローバル一意属性、前記基地局の第１のローカル一意属性、および前記基地局の第２のローカル一意属性を含むデータを要求するための手段と、
前記要求に応答してデータを受信するための手段と、前記データは、少なくとも前記第１のローカル一意属性および前記第２のローカル一意属性を含み、前記第１のローカル一意属性は、サブフレームのタイムスロットに存在するミッドアンブルインデックスであり、前記ミッドアンブルインデックスは、前記サブフレームの前記タイムスロット内の２つのデータペイロード部分の間に存在する、
前記データが前記グローバル一意属性を含まなかったと決定するための手段と、
前記第１のローカル一意属性および前記第２のローカル一意属性に少なくとも部分的に基づいて、前記基地局のアイデンティティを捕捉するための手段と、
を備える、装置。
【請求項１８】
前記第１のローカル一意属性および第２のローカル一意属性を、データベースにおける値と比較するための手段をさらに備え、ここにおいて前記データベースは、複数の項目を含み、前記複数の項目の各々は、基準基地局に関連するデータのトリプレットを含む、請求項１７に記載の装置。
【請求項１９】
前記データのトリプレットは、基準グローバル一意属性、第１の基準ローカル一意属性、および第２の基準ローカル一意属性を含み、前記基準グローバル一意属性、前記第１の基準ローカル一意属性、および前記第２の基準ローカル一意属性は、前記基準基地局に関連付けられる、請求項１８に記載の装置。
【請求項２０】
所定の長さの時間、前記データベースに留まっていた項目の前記データベース内の所定のエントリを除去するための手段と、
前記モバイル局に地理的に近接する基地局に関連する現在の項目を有する前記データベース内の特定の項目を前記受信したデータに基づいて更新するための手段と、
さらに備える、請求項１８に記載の装置。
【請求項２１】
前記基地局の前記グローバル一意属性は、前記基地局のセルＩＤを備え、前記基地局の前記第１のローカル一意属性は、前記基地局のセルパラメータＩＤを備え、前記基地局の前記第２のローカル一意属性は、前記基地局の一次周波数を備える、請求項１７に記載の装置。
【請求項２２】
前記モバイル局は、ＴＤ−ＳＣＤＭＡ環境にしたがって動作する、請求項１７に記載の装置。
【請求項２３】
前記第１のローカル一意属性または前記第２のローカル一意属性に基づいて、前記グローバル一意属性の値を決定するために少なくとも１つの推断を行うための手段をさらに備える、請求項１７に記載の装置。
【請求項２４】
前記少なくとも１つの推断を行うための手段は、追加の推断を行うための手段をさらに備え、前記追加の推断の数は、少なくとも１つの所定の基準に基づいて制限される、請求項２３に記載の装置。
【請求項２５】
プロセッサ可読命令を備えるコンピュータプログラムであって、前記プロセッサ可読命令はプロセッサに、
基地局のグローバル一意属性、前記基地局の第１のローカル一意属性、および前記基地局の第２のローカル一意属性を含むデータを要求することと、
前記要求に応答してデータを受信することと、前記データは、少なくとも前記第１のローカル一意属性および前記第２のローカル一意属性を含み、前記第１のローカル一意属性は、サブフレームのタイムスロットに存在するミッドアンブルインデックスであり、前記ミッドアンブルインデックスは、前記サブフレームの前記タイムスロット内の２つのデータペイロード部分の間に存在する、
前記データが前記グローバル一意属性を含まなかったと決定することと、
前記第１のローカル一意属性および前記第２のローカル一意属性に少なくとも部分的に基づいて、前記基地局のアイデンティティを捕捉することと、
を行わせるように構成される、コンピュータプログラム。
【請求項２６】
前記プロセッサ可読命令は、前記プロセッサに、前記第１のローカル一意属性および第２のローカル一意属性を、データベースにおける値と比較することをさらに行わせ、ここにおいて前記データベースは、複数の項目を含み、前記複数の項目の各々は、基準基地局に関連するデータのトリプレットを含む、請求項２５に記載のコンピュータプログラム。
【請求項２７】
前記データのトリプレットは、基準グローバル一意属性、第１の基準ローカル一意属性、および第２の基準ローカル一意属性を含み、前記基準グローバル一意属性、前記第１の基準ローカル一意属性、および前記第２の基準ローカル一意属性は、前記基準基地局に関連付けられる、請求項２６に記載のコンピュータプログラム。
【請求項２８】
前記プロセッサ可読命令は、前記プロセッサに、
所定の長さの時間、前記データベースに留まっていた項目の前記データベース内の所定のエントリを除去することと、
モバイル局に地理的に近接する基地局に関連する現在の項目を有する前記データベース内の特定の項目を前記受信したデータに基づいて更新することと、
をさらに行わせる、請求項２６に記載のコンピュータプログラム。
【請求項２９】
前記基地局の前記グローバル一意属性は、前記基地局のセルＩＤを備え、前記基地局の前記第１のローカル一意属性は、前記基地局のセルパラメータＩＤを備え、前記基地局の前記第２のローカル一意属性は、前記基地局の一次周波数を備える、請求項２５に記載のコンピュータプログラム。
【請求項３０】
モバイル局は、ＴＤ−ＳＣＤＭＡ環境にしたがって動作する、請求項２５に記載のコンピュータプログラム。
【請求項３１】
前記プロセッサ可読命令は、前記プロセッサに、前記第１のローカル一意属性または前記第２のローカル一意属性に基づいて、前記グローバル一意属性の値を決定するために少なくとも１つの推断を行うことをさらに行わせる、請求項２５に記載のコンピュータプログラム。
【請求項３２】
前記プロセッサ可読命令は、前記プロセッサに、追加の推断を行うことをさらに行わせ、前記追加の推断の数は、少なくとも１つの所定の基準に基づいて制限される、請求項３１に記載のコンピュータプログラム。
【発明の詳細な説明】
【背景技術】
【０００１】
[0001]ワイヤレス通信システムは、従来、測位およびタイミング情報を取得するために、視野のライン内の衛星に依存する。しかしながら、ワイヤレス通信システムは、衛星の位置についての情報または他のタイミング情報を捕捉するのを支援するために、ますます地上基地局に依存するようになりうる。これらの技法に関する改善は、衛星または基地局の信号捕捉時間を改善すること、これらのデータを捕捉するときに消費される電力を低減すること、または衛星もしくは基地局の識別の正確性を向上させること、に関連しうる。これらの特性のいずれかまたはすべてに関して向上する技法またはシステムを製造することが望ましくありうる。
【発明の概要】
【０００２】
[0002]本発明の実施形態では、これらの前述の課題および他の課題が、本明細書で提供される開示にしたがって解決されうる。
【０００３】
[0003]基地局のグローバル一意属性（globally-unique attributes）の代わりに、基地局のローカル一意属性（locally-unique attributes）に依存することによって、基地局のアイデンティティ（identity）を捕捉する時間を改善するための方法、装置、システム、およびコンピュータ可読媒体が提示されている。
【０００４】
[0004]いくつかの実施形態では、基地局のグローバル一意属性、基地局の第１のローカル一意属性、および基地局の第２のローカル一意属性を含むデータが要求されうる。基地局のグローバル一意属性の例は、基地局のセルＩＤ（ＣＩＤ）値でありうる。第１および第２のローカル一意属性の例は、基地局のセルパラメータＩＤ（ＣＰＩＤ）および一次周波数（ＰＦ）値でありうる。データは、要求に応答して受信され、そのデータは、少なくとも第１のローカル一意属性および第２のローカル一意属性を含む。いくつかの実施形態では、データがグローバル一意属性を含まなかったことが決定され、第１のローカル一意属性および第２のローカル一意属性に少なくとも部分的に基づく基地局のアイデンティティが捕捉されうる。
【０００５】
[0005]いくつかの実施形態では、基準グローバル一意属性および基準ローカル一意属性を含むデータベースが維持されうる。データベースにおけるデータは、「トリプレット（triplet）」の形式にあり、各トリプレットは、基準グローバル一意属性ならびに第１および第２の基準ローカル一意属性を含むことができる。第１のローカル一意属性および第２のローカル一意属性は、データベースおける値と比較されうる。これらの値は、基準および／またはローカル基地局に関連付けられうる。
【０００６】
[0006]いくつかの実施形態では、データベースは、周期的に除去、更新、および／またはリフレッシュされうる。データベースにおける項目は、所定の長さの時間、データベースに留まっていた後に除去されうる。項目は、モバイル局のような、データベースを含むデバイスに地理的に近接する基地局から受信されるデータに基づいて更新されうる。
【０００７】
[0007]様々な実施形態の本質および利点のさらなる理解は、次の図への参照によって実現されうる。添付の図において、同様のコンポーネントまたは特徴は、同じ参照ラベルを有しうる。さらに、同じタイプの様々なコンポーネントが、類似のコンポーネント間を区別する点線による参照ラベルおよび第２のラベルに従うことによって区別されうる。本明細書において第１の参照ラベルのみが使用される場合には、本記載は、第２の参照ラベルに関係なく同じ第１の参照ラベルを有する類似のコンポーネントのいずれか１つに適用可能である。
【図面の簡単な説明】
【０００８】
【図１】いくつかの実施形態にしたがった、実例となる多元接続ワイヤレス通信システムである。
【図２】いくつかの実施形態にしたがった、送信機システムおよび受信機システムを含む、実例となるワイヤレス通信インターフェースである。
【図３】いくつかの実施形態にしたがった、ユーザ機器（ＵＥ）の実例となるワイヤレス通信環境である。
【図４】いくつかの実施形態にしたがった、モバイル局が複数の基地局の範囲を通って移動する、実例となるシナリオである。
【図５Ａ】いくつかの実施形態にしたがった、例示的なメッセージフォーマットを図示している。
【図５Ｂ】いくつかの実施形態にしたがった、他の例示的なメッセージフォーマットを図示している。
【図５Ｃ】いくつかの実施形態の実例となるデータベースである。
【図６】いくつかの実施形態の方法を図示している例示的なフローチャートである。
【図７】いくつかの実施形態にしたがった、実例となるコンピュータシステムである。
【詳細な説明】
【０００９】
[0017]「例示的（exemplary）」という言葉は、本明細書では、「例、事例、または例示としての役割をする」ことを意味するように使用される。本明細書で「例示的」として説明されるいずれの実施形態または設計も、他の実施形態または設計に対して、必ずしも好ましいまたは有利であると解釈されるべきでない。
【００１０】
[0018]「グローバル一意属性」という用語は、グローバル一意属性に対する参照が一義的に、全世界中にただ１つのエンティティを指すという点で、グローバルに一意である属性、値、識別子、またはマーカを指しうる。グローバル一意属性の例は、インターネットにアクセスするように構成されたデバイスに関するＩＰアドレス、車両のための車両識別番号（ＶＩＮ）、国際電話番号、および地上基地局に関するセル識別（ＣＩＤ）値を含むことができる。
【００１１】
[0019]「ローカル一意属性」という用語は、同じローカル一意属性の複製（duplicates）が存在し、それによりローカル一意属性に対する参照が曖昧さなしにローカルエンティティのみを識別することができる点で、ローカルに一意である属性、値、識別子、またはマーカを指すことができる。ローカル一意属性の例は、通りの住所、学生のＩＤ番号、都市の名前、セルパラメータＩＤ（ＣＰＩＤ）、および地上基地局の一次周波数値を含むことができる。
【００１２】
[0020]本明細書で説明される技法は、例えば、符号分割多元接続（ＣＤＭＡ）ネットワーク、時分割多元接続（ＴＤＭＡ）ネットワーク、周波数分割多元接続（ＦＤＭＡ）ネットワーク、直交ＦＤＭＡ（ＯＦＤＭＡ）ネットワーク、シングルキャリアＦＤＭＡ（ＳＣ−ＦＤＭＡ）ネットワーク等の、様々なワイヤレス通信ネットワークのために使用されうる。「ネットワーク」および「システム」という用語は、度々、相互互換的に使用される。ＣＤＭＡネットワークは、例えば、時分割同期符号分割多元接続（ＴＤ−ＳＣＤＭＡ）ユニバーサル地上無線アクセス（ＵＴＲＡ）、ＣＤＭＡ２０００等の、無線技術を実装しうる。ＵＴＲＡは、広帯域ＣＤＭＡ（Ｗ−ＣＤＭＡ（登録商標））および低チップレート（ＬＣＲ）を含む。ＣＤＭＡ−２０００は、ＩＳ−２０００、ＩＳ−９５およびＩＳ−８５６規格をカバーする。ＴＤＭＡネットワークは、モバイル通信のためのグローバルシステム（ＧＳＭ（登録商標））のような無線技術を実装することができる。ＦＤＭＡネットワークは、ユニバーサルモバイルテレコミュニケーションシステム−周波数分割複信（ＵＭＴＳ−ＦＤＤ）等を含むことができる。ＯＦＤＭＡネットワークは、例えば、進化型ＵＴＲＡ（Ｅ−ＵＴＲＡ）、ＩＥＥＥ８０２．１１、ＩＥＥＥ８０２．１６、ＩＥＥＥ８０２．２０、Ｆｌａｓｈ−ＯＦＤＭ（登録商標）等の、無線技術を実装することができる。ＵＴＲＡ、Ｅ−ＵＴＲＡおよびＧＳＭは、ユニバーサル移動通信システム（ＵＭＴＳ）の一部である。ロングタームエボリューション（ＬＴＥ）は、Ｅ−ＵＴＲＡを使用するＵＭＴＳのリリースである。ＵＴＲＡ、Ｅ−ＵＴＲＡ、ＧＳＭ、ＵＭＴＳ、およびＬＴＥは、「第３世代パートナシッププロジェクト」（３ＧＰＰ）と名付けられた組織による文書中で説明されている。ＣＤＭＡ２０００は、「第３世代パートナシッププロジェクト２」（３ＧＰＰ２）と名付けられた組織による文書中で説明されている。これらの様々な無線技術および規格は、当該技術分野において知られている。
【００１３】
[0021]シングルキャリア変調および周波数ドメイン等化を利用する、シングルキャリア周波数分割多元接続（ＳＣ−ＦＤＭＡ）は技法である。ＳＣ−ＦＤＭＡは、ＯＦＤＭＡシステムのものと本質的に同じ全体の複雑性および類似する性能を有する。ＳＣ−ＦＤＭＡ信号は、その固有のシングルキャリア構造のために、より低いピーク対平均電力比（ＰＡＰＲ）を有する。ＳＣ−ＦＤＭＡは、より低いＰＡＰＲが送信電力効率の点でモバイル端末に大いに利益をもたらすアップリンク通信で特に注目を集めてきた。それは現在、３ＧＰＰのロングタームエボリューション（ＬＴＥ）、または進化型ＵＴＲＡにおけるアップリンクの多元接続スキームのための暫定的な仮説（working assumption）である。
【００１４】
[0022]様々な実施形態が、アクセス端末と関係して本明細書で説明されている。アクセス端末は、システム、加入者ユニット、加入者局、モバイル局、モバイル、遠隔局、遠隔端末、モバイルデバイス、ユーザ端末、端末、ワイヤレス通信デバイス、ユーザエージェント、ユーザデバイス、またはユーザ機器（ＵＥ）と呼ばれることもできる。アクセス端末は、セルラ電話、コードレス電話、セッション開始プロトコル（ＳＩＰ）電話、ワイヤレスローカルループ（ＷＬＬ）局、携帯情報端末（ＰＤＡ）、ワイヤレス接続能力を有するハンドヘルドデバイス、コンピューティングデバイス、または、ワイヤレスモデムに接続された他の処理デバイスであることができる。さらに、様々な実施形態が、基地局と関係して本明細書で説明されている。基地局は、（１つまたは複数の）アクセス端末と通信するために利用され、アクセスポイント、ノードＢ、進化型ノードＢ（ｅノードＢ）、アクセスポイント基地局、または何らかの他の専門用語としても称されうる。
【００１５】
[0023]いくつかの実施形態では、ローカル基地局のアイデンティティを捕捉する時間は、基地局のグローバル一意属性の代わりに、基地局のローカル一意属性に依存することによって改善されうる。高トラフィック量中では、モバイル局は、ローカル基地局のグローバル一意属性を受信することができず、従来の手段に従うとモバイル局がローカル基地局を識別することを阻みうる。その結果、従来の手段の下で任意の基地局に対する網羅的な探索が行われる必要がありうるけれども、信号捕捉時間は、グローバル一意属性が取得されないときに近くの基地局のローカル一意属性に依存することによって、網羅的な探索を行うことに関して改善されうる。
【００１６】
[0024]ローカル基地局のアイデンティティを捕捉することは、様々な理由で重要でありうる。例えば、モバイル局は、衛星がモバイル局に関して視界内に十分にない場合には、グローバル測位およびタイミング情報のために、ローカル基地局に依存しうる。別の例として、ローカル基地局は、携帯電話通信において使用されうる。ローカル基地局のアイデンティティを迅速に、かつ効率的に捕捉することは、例えば通話途切れ（dropped calls）を防ぐために、モバイル局が継続的な受信を維持するのを助けうる。加えて、効率的な方法でこれらの目的を達成することは、時間を節約する上に、電力消費を低減することができる。本明細書で説明されている実施形態は、これらの利益のいずれか、またはすべてを達成するのを助けることができる。
【００１７】
[0025]図１を参照すると、いくつかの実施形態にしたがった多元接続ワイヤレス通信システムが例示されている。アクセスポイント（ＡＰ）１００は、複数のアンテナグループを含み、あるアンテナグループは１０４および１０６を含み、別のアンテナグループは１０８および１１０を含み、さらなるアンテナグループは１１２および１１４を含む。図１では、アンテナグループ毎に、２つのアンテナのみが図示されているけれども、より多くのアンテナまたはより少ないアンテナが各アンテナグループに対して利用されることができる。アクセス端末１１６（ＡＴ）は、アンテナ１１２および１１４を介してＡＰ１００と通信しており、ここでアンテナ１１２および１１４は、順方向リンク１２０をわたってアクセス端末１１６に信号を送信し、逆方向リンク１１８をわたってアクセス端末１１６から信号を受信する。アクセス端末１２２は、アンテナ１０６および１０８を介してＡＰ１００と通信しており、ここでアンテナ１０６および１０８は、順方向リンク１２６をわたってアクセス端末１２２に信号を送信し、逆方向リンク１２４をわたってアクセス端末１２２から信号を受信する。周波数分割複信（ＦＤＤ）システムにおいて、通信リンク１１８、１２０、１２４、および１２６は、通信のために異なる周波数を使用することができる。例えば、順方向リンク１２０は、逆方向リンク１１８によって使用されるものとは異なる周波数を使用することができる。
【００１８】
[0026]アンテナの各グループおよび／もしくはそれらが通信するように設計されるエリアは、アクセスポイントのセクタとして度々称される。いくつかの実施形態では、アンテナグループは各々、アクセスポイント１００によってカバーされるエリアのセクタ内のアクセス端末に通信するように設計される。
【００１９】
[0027]順方向リンク１２０および１２６をわたった通信では、アクセスポイント１００の送信アンテナは、異なるアクセス端末１１６および１２４に対する順方向リンクの信号対雑音比を改善するためにビームフォーミングを利用する。また、アクセスポイントがそのカバレッジの至る所にランダムに散在するアクセス端末に送信するためにビームフォーミングを使用するは、単一のアンテナを通じてそのアクセス端末のすべてに送信するアクセスポイントに対してよりも少ない干渉を、隣接するセル内のアクセス端末に対して引き起こす。
【００２０】
[0028]図２は、多入力多出力（ＭＩＭＯ）システム２００内のアクセスポイントの送信機システム２１０、およびアクセス端末の受信機システム２５０の実施形態のブロック図である。送信機システム２１０で、多くのデータストリームのためのトラフィックデータがデータソース２１２から送信（ＴＸ）データプロセッサ２１４に提供される。
【００２１】
[0029]いくつかの実施形態では、各データストリームは、それぞれの送信アンテナをわたって送信される。ＴＸデータプロセッサ２１４は、コーディングされたデータを提供するために、各データストリームのためのトラフィックデータを、そのデータストリームのために選択された特定のコーディングスキームに基づいてフォーマット、コーディング、およびインターリーブする。
【００２２】
[0030]各データストリームのためのコーディングされたデータは、ＯＦＤＭ技法を使用してパイロットデータと多重化されうる。パイロットデータは通常、既知の方法で処理される既知のデータパターンであり、受信機システムでチャネル応答を推定するために使用されうる。各データストリームのための多重化されたパイロットおよびコーディングされたデータは、その後、変調シンボルを供給するために、そのデータストリームのために選択された特定の変調スキーム（例えば、ＢＰＳＫ、ＱＳＰＫ、Ｍ−ＰＳＫ、または、Ｍ−ＱＡＭ）に基づいて、変調（つまり、シンボルマッピング）される。各データストリームのためのデータレート、コーディング、および変調は、プロセッサ２３０により実行される命令によって決定されうる。
【００２３】
[0031]その後、すべてのデータストリームのための変調シンボルが、ＴＸ  ＭＩＭＯプロセッサ２２０に供給され、ＴＸ  ＭＩＭＯプロセッサ２２０は、（例えば、ＯＦＤＭ用に）さらに変調シンボルを処理しうる。ＴＸ  ＭＩＭＯプロセッサ２２０は、その後、ＮＴ個の送信機（ＴＭＴＲ）２２２ａ〜２２２ｔにＮＴ個の変調シンボルストリームを供給し、ここでＮＴは、図２で説明されている送信機に関連付けられた正の整数である。ある特定の実施形態では、ＴＸ  ＭＩＭＯプロセッサ２２０は、ビームフォーミング重みを、データストリームのシンボルに、およびシンボルが送信されているアンテナに適用する。
【００２４】
[0032]各送信機２２２は、１つまたは複数のアナログ信号を供給するために、それぞれのシンボルストリームを受信および処理し、ＭＩＭＯチャネルをわたる送信に適した変調された信号を提供するために、そのアナログ信号をさらに調整（例えば、増幅、フィルタリング、およびアップコンバート）する。送信機２２２ａ〜２２２ｔからのＮＴ個の変調された信号は、その後、ＮＴ本のアンテナ２２４ａ〜２２４ｔから、それぞれ送信される。
【００２５】
[0033]受信機システム２５０で、送信された変調された信号は、ＮＲ本のアンテナ２５２ａ〜２５２ｒによって受信され、各アンテナ２５２からの受信された信号は、それぞれの受信機（ＲＣＶＲ）２５４ａ〜２５４ｒに供給され、ここでＮＲは、図２で説明されている受信機に関連付けられた正の整数である。各受信機２５４は、それぞれの受信された信号を調整（例えば、フィルタリング、増幅、およびダウンコンバート）し、サンプルを提供するためにその調整された信号をデジタル化し、対応する「受信された」シンボルストリームを供給するためにサンプルをさらに処理する。
【００２６】
[0034]ＲＸデータプロセッサ２６０は、その後、ＮＴ個の「検出された」シンボルストリームを供給するために、特定の受信機処理技法に基づいて、ＮＲ個の受信機２５４からのＮＲ個の受信されたシンボルストリームを受信および処理する。ＲＸデータプロセッサ２６０は、その後、データストリームのためのトラフィックデータを復元するために、各検出されたシンボルストリームを復調、デインターリーブ、および復号する。ＲＸデータプロセッサ２６０による処理は、送信機システム２１０におけるＴＸ  ＭＩＭＯプロセッサ２２０およびＴＸデータプロセッサ２１４によって行われるものと相補的である。
【００２７】
[0035]プロセッサ２７０は、どのプリコーディング行列を使用すべきかを周期的に決定する（以下で論じられる）。プロセッサ２７０は、行列インデックス部分およびランク値部分を備える逆方向リンクメッセージを組み立てる（formulate）。メモリ２７２は、プロセッサ２７０によって使用される様々なプリコーディング行列を格納する。
【００２８】
[0036]逆方向リンクメッセージは、通信リンクおよび／または受信されたデータストリームに関する様々なタイプの情報を備えることができる。逆方向リンクメッセージは、その後、ＴＸデータプロセッサ２３８によって処理され、ＴＸデータプロセッサ２３８はまた、変調器２８０によって変調され、送信機２５４ａ〜２５４ｒによって調整され、そして送信機システム２１０に返送される多くのデータストリームのためのトラフィックデータをデータソース２３６から受信する。
【００２９】
[0037]送信機システム２１０で、受信機システム２５０からの変調信号は、受信機システム２５０によって送信された逆方向リンクメッセージを抽出するために、アンテナ２２４によって受信され、受信機２２２によって調整され、復調器２４０によって復調され、ＲＸデータプロセッサ２４２によって処理される。プロセッサ２３０はその後、ビームフォーミング重みを決定するためにどのプリコーディング行列を使用すべきかを決定し、次いで、抽出されたメッセージを処理する。プロセッサ２３０は、様々なプリコーディング行列を格納するメモリ２３２からそのプリコーディング行列を取得する。メモリ２３２はまた、複数の基地局のローカルおよびグローバルの一意属性、ならびに情報データベースのような、他のタイプのデータも含む。
【００３０】
[0038]図３を参照すると、いくつかの実施形態では、ユーザ機器（ＵＥ）３０２は、ワイヤレスネットワーク環境３００内で動作することができる。ＵＥ３０２は、例えば、モバイルデバイス、携帯電話、電子タブレット、タッチスクリーンデバイス、ラジオ（radio）、ＧＰＳデバイス等の、ユーザまたは消費者によって操作および／または使用される任意の装置を指しうる。ＵＥまたはモバイル局（例えば、携帯電話）３０２は、そのグローバル位置を決定すること、または他の目的でグローバル測位情報にアクセスすることを、そのようなことを行うために衛星３０８および／または３１０を利用して、試みることができる。特にモバイル局３０２が、山脈３１２、高層ビル（tall building）３１４、混雑したエリア等に起因して、空ならびに衛星３０８および／または３１０に対して制限された視界を有するとき、モバイル局３０２はまた、衛星３０８および／または３１０だけでなく、近くの地上基地局３０４および／または３０６からデータを受信することに依存しうる。
【００３１】
[0039]ローカル基地局３０４または３０６から位置情報を捕捉するために必要とされる時間を改善するために−それにより、モバイル局３０２のグローバル位置を決定する際の時間遅延を改善するために−モバイル局３０２は、モバイル局が通常使用することができる各基地局、例えば、基地局３０４および３０６、のグローバル一意識別番号をメモリに格納することができる。このグローバル一意識別番号は、基地局のセルＩＤ（ＣＩＤ）として称されうる。世界中の各基地局は、一意のＣＩＤを有しており、それにより、モバイル局３０２が、どの基地局がアクセスされているかを、ＣＩＤを知ることによってのみ正確に識別することを可能にする。度々使用される基地局、例えば、３０４および３０６、のＣＩＤを記憶していることは、モバイル局３０２が、それらの基地局３０４および３０６の信号を容易に捕捉することを可能にし、基地局信号を網羅的に探索するために費やされる時間を低減する。基地局は通常、範囲内のあらゆるＵＥ３０２が情報を受信する機会を有するように、ブロードキャストされるヘッダ情報の一部として、自動的にそれらのＣＩＤを送信することができる。このケースでは、ＵＥ３０２は、ワイヤレス信号３１６を介して基地局３０４のグローバル一意ＣＩＤを受信することができ、ＵＥ３０２は、ワイヤレス信号３１８を介して基地局３０６のグローバル一意ＣＩＤを受信することができる。
【００３２】
[0040]しかしながら、図４を参照すると、モバイル局と基地局との間で送られることができるデータのタイプおよびフォーマットを統制するいくつかのワイヤレス通信環境（例えば、ＴＤ−ＳＣＤＭＡ、ＵＭＴＳ−ＦＤＤ、ＬＴＥ、ＣＤＭＡ等の、例えば、エアインターフェース）は、モバイル局が高トラフィック量を経験する（experience）ときのようなある特定の状況において、ＣＩＤがモバイル局に送信されることを要求しない。このことは、特にモバイル局がある基地局の範囲を超えて別の基地局の範囲に入り（例えば、ハンドオーバ状態）、それにより次の基地局を識別する必要があるときに問題でありうる。
【００３３】
[0041]例えば、ワイヤレス環境４００では、モバイル局４０２は、様々な基地局４０４、４０６、および４０８の範囲を通じて移動することができる。モバイル局４０２は、車もしくは電車において、または何らかの他の手段を通じて移動することができる。基地局４０４、４０６、および４０８の周りの輪は、どの程度の距離まで基地局が、それらのそれぞれの送信の受信を提供することができうるかを示す。矢印４１０は、モバイル局４０２が、おそらく道路上、または線路上、あるいは同様のもの上で移動することができる経路を示しうる。モバイル局４０２が経路４１０に沿って移動するにつれて、モバイル局４０２が最初に基地局４０６の範囲を通って通過し（pass through the range first of base staion 406）、基地局４０６の範囲から飛び出し、基地局４０４の範囲に入ることになることが見られうる。その後モバイル局４０２は、基地局４０４の範囲を出るように移動し、基地局４０８の範囲に移動することになる。
【００３４】
[0042]モバイル局４０２は、それが現在の基地局の受信を失うため、別の基地局のアクセスを自動的に探し求めうる。１つの基地局から次の基地局に切り替えるこのプロセス、例えば上記で説明された基地局の切り替え、は、「ハンドオーバ」と称されうる。ハンドオーバ中、モバイル局４０２は、それが、ＣＩＤのような、現在範囲内にあるローカル基地局のグローバル一意識別番号を決定することを可能にする情報を捕捉することができる。しかしながら、ある特定の状況、例えば高トラフィック量状態、では、ＴＤ−ＳＣＤＭＡおよびＵＭＴＳ−ＦＤＤのようないくつかのワイヤレス通信環境は、ＣＩＤがモバイルデバイスによって受信されることを要求しないことがある。したがって、モバイル局４０２が高トラフィック量状態で使用されるとき、新たな基地局のＣＩＤは、ハンドオーバ状態中、例えば、経路４１０に沿って移動しているとき、識別されないことがある。ＣＩＤが、混雑したトラフィック（heavy traffic）に起因して、または他の理由で識別されない場合、モバイル局４０２は、次の基地局を識別するためにＣＩＤに依存することができず、その代わりに従来の手段にしたがって、次の基地局を発見するために網羅的な探索を行わなければならず、多大な時間遅延およびエネルギーリソースの損失を引き起こす。その結果、モバイル局４０２が基地局の境界間を横断するとき、基地局を迅速に捕捉するための代わりの方法を有することが望ましくありうる。
【００３５】
[0043]しかしながら、図５Ａを参照すると、いくつかの実施形態にしたがって、モバイル局は、モバイル局が近くの基地局からグローバル一意ＣＩＤを受信しないときにどの基地局がモバイル局に近いかを決定するために、データの２つの他の要素（pieces）、例えば、ミッドアンブルインデックス（midable index）またはセルパラメータＩＤ（ＣＰＩＤ）と時折呼ばれる第１のローカル一意基地局識別、およびセル周波数パラメータまたは一次周波数（ＰＦ）と時折呼ばれる第２のローカル一意基地局識別、を受信することができる。この汎用技法（general technique）は、トラフィック中、ＣＩＤがモバイル局に送信されることを要求しないことがある、ＴＤ−ＳＣＤＭＡおよびＵＭＴＳ−ＦＤＤのようなエアインターフェース規格において特に役立ちうる。
【００３６】
[0044]図表５００は、グローバル一意属性５０２、例えばセルのアイデンティティ、すなわちＣＩＤ、第１のローカル一意属性５０４、例えばミッドアンブルインデックスまたはセルパラメータＩＤ（ＣＰＩＤ）、および第２のローカル一意属性５０６、例えば基地局の一次周波数（ＰＦ）、の、実例となるメッセージフォーマットおよび記述を例示しうる。あらゆる特定のＣＩＤが世界中で唯一の基地局を一義的に指すように、ＣＩＤは、世界中の各基地局が一意のＣＩＤでラベル付け（label）されるので、グローバル一意属性と考えられうる。ＣＰＩＤおよびＰＦの値がローカルエリアにおける基地局を識別することだけを助けうるように、ＣＰＩＤおよびＰＦの値が他の基地局のために繰り返すことができるので、ＣＰＩＤおよびＰＦはともに、基地局のローカル一意属性と考えられうる。
【００３７】
[0045]いくつかの実施形態にしたがって、例示的なＣＩＤフォーマット５０２は、ＣＩＤのいくつかの属性、ひいてはグローバル一意属性を図示しうる。ここでは、ＣＩＤのフォーマットは、２８字のビット列でありうる。いくつかの実施形態では、字は、あらゆる数字または文字（letter）でありうる。他の実施形態では、字は１６進数値でありうる。フォーマットは、どのＣＩＤ値も同じでない点でグローバルに一意であり、それにより、ＣＩＤの一致は、その特定のＣＩＤに属するその特定の基地局の識別をシグナリングすることができる。
【００３８】
[0046]例示的なＣＰＩＤフォーマット５０４は、０から１２７までの範囲のみに及ぶ整数値を有するローカル一意属性のためのフォーマットを図示している。したがって、世界中にインストールされた、単に１２８個ではなく、それよりも非常に多い基地局が存在するため、特定のＣＰＩＤ値を有する基地局が他の基地局と重複する一致を有しうることが知られうる。
【００３９】
[0047]例示的なＰＦフォーマット５０６は、０から１６３８３の範囲に及ぶ整数値を有する別のローカル一意属性のためのフォーマットを図示しうる。ここで、例示的なフォーマット５０４よりも大きな値の範囲が存在することを考えると、第１のローカル一意属性および第２のローカル一意属性のような、両方の値の組み合わせは、グローバル一意属性を受信することがなかったとしても、基地局をより断定的に決定することを助けることができる。
【００４０】
[0048]図５Ｂを参照すると、例示的なメッセージフォーマット５２５は、データストリームのどこで、グローバルおよびローカル一意属性が発見されうるかを例示しうる。エアインターフェースにおいてモバイルデバイスによって受信された信号は、１０ミリ秒（ｍｓ）フレーム５２７に分割されうる。各フレーム５２７内に、２個の５ｍｓサブフレーム５２９が存在しうる。各サブフレーム内には、７個のタイムスロット（ＴＳ）が存在することができ、８番目のタイムスロットが完全に異なるパターンで編成される情報を含むように使用される状態で、７個のＴＳの各ＴＳは特定のパターンで編成される情報の指定のセットを含む。ここで、ＴＳ０  ５３１は、下方を向いている矢印によって表されるような、ダウンリンク情報を含むことができる。ダウンリンク情報は、基地局から送信される、モバイル局によって受信される情報でありうる。ＴＳ０  ５３１は、いくつかの実施形態では、ＣＩＤのようなグローバル一意属性、およびＰＦのようなローカル一意属性を含むことができる。次のタイムスロットは、他のタイムスロットの類似のパターンと一貫していないことがあり、ダウンリンクパイロットスロット（ＤｗＰＴＳ）５３３、ギャップ（ＧＰ）、およびアップリンクパイロットスロット（ＵｐＰＴＳ）５３５を含むことができる。アップリンクは、基地局で受信される、モバイル局によって送信される情報を指すことができる。次の６個のタイムスロット５３７ａ〜５３７ｆは、ダウンリンク（ＤＬ）情報またはアップリンク（ＵＬ）情報のどちらかを含むことができる。この例では、３つのＴＳ５３７ａ、５３７ｂ、および５３７ｃは、ＵＬ用に設計され、３つのＴＳ５３７ｄ、５３７ｅ、および５３７ｆは、ＤＬ用に設計される。これらのＴＳの各々は、図示されているように、同じメッセージフォーマットにしたがってさらに細かく分割されうる。例えば、ＴＳは、データペイロード部分５３９、その後に続くミッドアンブルインデックス５４１、その後に続く別のデータ部分５３９、およびその後のギャップを含むことができる。いくつかの実施形態では、ＴＳは、１６回、前述のフォーマットを繰り返すことができる。このフォーマットは、ＴＳ５３７ａ〜５３７ｆの各々に関して繰り返すことができる。ミッドアンブルインデックス５４１は、そのような情報を送信する基地局のローカル一意属性でありうる。図５Ｂの説明は、少なくとも、ＴＤ−ＳＣＤＭＡのような、当該技術分野で知られるいくつかのエアインターフェースと一貫しうる。他の実施形態では、他のメッセージフォーマットが、当該技術分野で知られる他のエアインターフェースにしたがって使用されることができ、実施形態はそれ程制限されない。
【００４１】
[0049]図５Ｃを参照すると、基地局のグローバル一意属性、ならびに第１および第２のローカル一意属性を格納する例示的なデータベース５５０は、いくつかの実施形態にしたがって説明されている。データベース５５０は、エントリ毎に少なくとも３つのデータベース項目を含むことができ、グローバル一意属性５５２、ならびに第１および第２のローカル一意属性５５４および５５６の各々に対してそれぞれ１つの項目がある。いくつかの実施形態では、地理的ロケーションエントリ５５８のような、他のエントリが存在しうる。データベール５５０は、モバイルデバイス４０２、ＵＥ３０２、モバイル局１１６、モバイル局１２２、またはアクセス端末２５０のような、モバイルデバイスのメモリに格納されうる。データベース５５０を格納するモバイルデバイスは、新たな基地局、または基地局の異なる属性が受信されるときはいつでも、データベース５５０を更新するように構成されうる。モバイルデバイスが、例えばメッセージフォーマット５２５、ならびにフォーマット５０２、５０４、および５０６に一貫した受信される信号からデータ５５０を投入するために情報を取得することができる。例えば、基地局エントリ５６０は、４つのエントリ：ＣＩＤ値０ｘ２１０ａ８４ｃ、ＣＰＩＤ値７１、ＰＦ値１００５５、および地理的ロケーション（Ｅ１３５．２１°、Ｎ５０．４４°）、を図示している。したがって、モバイルモバイルデバイスがＣＰＩＤ値およびＰＦ値だけを受信する場合、基地局のロケーション、および／またはＣＩＤ値は、同じ行におけるエントリを参照することによって識別されうる。
【００４２】
[0050]いくつかの実施形態では、例示的なデータベース５５０のようなデータベースは、以下の方法で更新されうる：１．基地局からＣＩＤ情報を受信する。情報は、メッセージフォーマット５２５、または他の類似のフォーマットと一貫する信号内で取得されうる。２．フォーマット５２５または他の類似のメッセージフォーマットを通じて、同じ基地局からＣＰＩＤおよびＰＦ情報を受信する。３．この基地局のためのすべてのエントリを更新する。そのエントリは、データベース５５０または何か類似のものにおいて更新されうる。それにより、グローバル一意値は、２つのローカル一意値に関連付けられる。４．新たな情報が受信されるときはいつでも、任意のものの値を更新することに続く。５．値が更新を必要とするかどうかを調べるために、基地局から受信された信号において発見される現在の情報と照合する。
【００４３】
[0051]いくつかの実施形態では、データベースは、例示的なフォーマット｛ＣＩＤｉ，ＰＦｉ，ＣＰＩＤｉ｝における、基地局のＣＩＤ、ＰＦ、およびＣＰＩＤを含む、データの「トリプレット」を含むことができ、ここで、ｉは基地局のインデックスである。いくつかのケースでは、データベース５５０を参照および／または更新することを試みる実施形態は、トリプレットにおける情報のすべてを受信しないことがある。例えば、データベース５５０を含むモバイルデバイスは、いくつかのワイヤレス環境、例えばＴＤ−ＳＣＤＭＡまたはＵＭＴＳ−ＦＤＤ、にある間、専用のトラフィックモードにあることができ、それにより、ローカル基地局と交信している(in contact with)ときに、グローバル一意属性、例えばＣＩＤを受信しないことがある。そのようなケースでは、データベース５５０は、完全に更新されず、加えてローカル基地局のアイデンティティは、データベース４４０における前から存在している情報を使用して推断され（inferred）うる。
【００４４】
[0052]前に述べられたように、従来の技法と、いくつかの実施形態の技法との間の差異は、ＣＰＩＤおよびＰＦが基地局ためのグローバル一意値でない、つまりそれらはローカルに一意であるだけである、ことであり、このことは、ＣＰＩＤおよびＰＦ値が、いくつかのロケーションにおける他の基地局のために繰り返されうることを意味する。したがって、ＣＰＩＤ５５４およびＰＦ５５６の値を格納するデータベース、例えばデータベース５５０は、いくつかのデータベース項目がローカル属性を繰り返す、または情報のいくつかが不正確になるケースでは、周期的にリフレッシュされうる。データベースをリフレッシュするために、いくつかの実施形態は、新規の（fresh）データのためにスペースを作るために、いくつかの、またはすべてのエントリを除去することができる。モバイル局が、以前とは完全に異なる地理的ロケーションにおいてアクティベートされるとき、データの完全な除去は有益でありうる。例えば、モバイル局のユーザは別の大陸に休暇に出かけ、それでも同じモバイル局を使用することができる。ユーザはその後、異なるグローバル一意属性に加えて異なるローカル一意属性も有する基地局の完全に異なるセットに近接しうる。
【００４５】
[0053]図６を参照すると、フローチャート６００は、いくつかの実施形態にしたがった例示的な方法を表している。ブロック６０２で始まり、データベースは維持され、そのデータベースは、各基地局のグローバル一意属性および少なくとも１つのローカル一意属性を含む、基地局のデータを含むことができる。いくつかの実施形態では、データベースは、各基地局エントリ関して、グローバル一意属性、第１のローカル一意属性および第２のローカル一意属性を含むことができる。いくつかの実施形態では、例示的なフォーマット｛ＣＩＤｉ，ＰＦｉ，ＣＰＩＤｉ｝におけるデータのトリプレット、例えば基地局のＣＩＤ、ＰＦ、およびＣＰＩＤを含むことができ、ここで、ｉは基地局のインデックスである。
【００４６】
[0054]データベースは、図５Ｂで説明されている例示的なデータベースと一貫することができるけれども、必ず他のデータベースが維持されうる。データベースを維持することは、例えばＣＩＤ、ＰＦ、および／またはＣＰＩＤ値を含む、あらゆるグローバル一意またはローカル一意属性が受信されるときのデータベースの値またはエントリを更新することを伴うことができる。データベースを維持することはまた、値が不正確および／または古すぎるとき、データベースをリフレッシュおよび／または除去することも伴うことができる。前に触れられたように、ＰＦおよびＣＰＩＤ値のようなある特定の値は、ローカル基地局のローカル一意属性として見なされることができ、これにより、データベースを含むモバイル局の位置に応じて、または他の理由で、周期的に変更することができる。データベースを更新および／またはリフレッシュすることは、本明細書で説明されている技法のいずれかに一貫しうる。
【００４７】
[0055]ブロック６０４で、データは受信され、そのデータは、基地局の少なくとも１つのローカル一意属性を含むことができる。データは、データベースを含むモバイル局の範囲内にある近くの基地局を参照しうる。データはまた、単なる少なくとも１つのローカル一意属性以外のものも含むことができる。例えば、そのデータは、基地局のグローバル一意属性、基地局の第１のローカル一意属性および第２のローカル一意属性を含むことができる。他のケースでは、データは、図５Ａで説明されたデータの任意のものを含むことができる。ブロック６０４の前に、そのようなデータを受信するための要求が開始されることもでき、その要求は、範囲内にある近くの基地局を対象とする。いくつかの実施形態では、ローカル基地局のＰＦおよびＣＰＩＤが受信されうる。いくつかの実施形態では、ローカル基地局からのＣＩＤ値もまた受信されうる。いくつかのケースでは、いくつかの実施形態にしたがってモバイルデバイスが高トラフィック量状態で動作しており、グローバル一意値が高トラフィック量状態にある間に受信されることを可能にしないワイヤレス通信ネットワークにありうるので、グローバル一意値が受信されないことがある。例えば、本明細書で説明されている方法を行うモバイルデバイスは、ＳＣ−ＴＤＭＡまたはＵＭＴＳ−ＦＤＤ環境にしたがって動作していることがある。
【００４８】
[0056]ブロック６０６で、グローバル一意値がブロック６０４からの受信されたデータに存在するかどうかが決定されうる。前に触れられたように、いくつかのケースでは、実施形態が、いくつかの状況においてグローバル一意値を受信しない状態で動作していることがあるので、グローバル一意値が受信されたデータに存在しないことがある。例えば、モバイルデバイスが高トラフィック量状態にある、例えば呼を行う、とき、グローバル一意値は、ＳＣ−ＴＤＭＡまたはＵＭＴＳ−ＦＤＤ環境にある間モバイル局で受信されないことがある。いくつかの実施形態では、ローカル基地局のＣＩＤが受信されたデータに存在するかどうかが決定されうる。
【００４９】
[0057]グローバル一意属性が受信されたデータに存在するかどうかを決定することは、モバイル局がローカル基地局のアイデンティティを取得する必要がある、または取得することを望むケースでは有益でありうる。このことは、様々なケースで役立つことができ、１つの例は、モバイル局が、ハンドオーバ状態において１つのローカル基地局から別のローカル基地局に受信を切り替える必要があるときである。そのようなハンドオーバは、図４で説明されたシナリオと一貫しうる。
【００５０】
[0058]ブロック６０８で、ローカル基地局のグローバル一意属性が受信されたデータに存在することが決定される場合、実施形態は、従来の技法を使用して、ローカル基地のアイデンティティを決定することができることがある。例えば、ローカル基地局のＣＩＤが受信されたデータに存在することが決定される場合、ローカル基地局は、ＣＩＤを使用して識別されうる。このことは、ＣＩＤ値が全世界中にただ１つの基地局に関連付けられ、それにより基地局が、ＣＩＤ値を知った後に正確に識別されうるため、可能でありうる。
【００５１】
[0059]ブロック６１０で、グローバル一意属性が受信されたデータに存在しないことがブロック６０６で決定される場合、モバイルデバイスは、受信されたローカル一意属性に基づいてローカル基地局を識別することができる。受信されたローカル一意属性は、データベースにおける値と比較されうる。例えば、受信されたＰＦおよびＰＣＩＤ値は、データベースにおける基準ＰＦおよびＰＣＩＤ値に比較されうる。
【００５２】
[0060]ブロック６１２で、受信されたローカル一意属性がデータベースにおけるいずれかの値に一致するかどうかがその後決定されうる。データベースが、最もよく（most commonly）使用される、またはより最近に使用された基地局属性の集合でありうるため、受信されたローカル一意属性がデータベース値のいくつかに一致することが起こり得ることがある。例えば、モバイル局が、ほとんどの時間、１つの都市の周りを移動する場合、その都市の周りの同じローカル基地局が、最も頻繁に使用されうる。したがって、これらの基地局のローカルおよびグローバル一意属性がデータベースに格納される場合、受信されたローカル一意属性が、都市の周りでよく使用される基地局のうちの１つに関連付けられうる可能性が高い。したがって、グローバル一意属性が受信されない場合でさえ、ハンドオーバ状態に関与することが必要とされる最も近い基地局が依然として決定されうる。
【００５３】
[0061]ブロック６１４で、ローカル一意属性がデータベースにおける値に一致する場合、そこからデータが到来するローカル基地局のアイデンティティが、受信されたローカル一意属性を使用して捕捉されうる。少なくとも１つの推断が、どのローカル基地局からデータが到来するかを決定するために行われうる。例えば、受信された第１および第２のローカル一意属性が、データベースの同じ行ｋにおける値に一致する場合、ローカル基地局が、行ｋのＣＩＤに関連付けられた基地局であることが推断されうる。
【００５４】
[0062]他のケースでは、第２の受信されたローカル一意属性が、データベースの行ｎにおける値に一致しうる一方で、第１の受信されたローカル一意属性はデータベースの行ｍにおける値に一致しうる。ここで、追加の推断が、ローカル基地局のアイデンティティを決定するために行われる必要がありうる。このケースでは、データベースは、第１および第２のローカル一意属性が、行ｍおよびｎの両方において何であるべきなのかを決定するためにさらに更新されうる。いくつかのケースでは、誤り照合が、ローカル一意属性が不一致とされるかどうかを調べ、それにしたがって調整するために行われうる。
【００５５】
[0063]同様に、多くの推断が、少なくともローカル一意属性を使用して、ローカル基地局のアイデンティティを決定するために行われうる。データベースに存在する、または受信されたデータからの、どちらかの他の種類のデータが、ローカル基地局が何でありうるかの結論を出すのを助けるための様々な関係（connection）を発見するために使用されうる。例えば、推断は、受信されたＰＦおよび／またはＣＰＩＤ値に基づきうる。１つの最近使用された基地局のロケーションの認識が次に使用される基地局の可能性を狭めるところの、さらなるマッピングが、最近使用された基地局に対する近接に基づいて、使用されうる。この認識は、受信されたＰＦおよび／またはＣＰＩＤ値の認識と組み合わせられ、どれがローカル基地局でありそうかに関しての決定が行われうる。同様に、これらの関係は、ＰＦおよびＣＰＩＤ値であることができ、ローカル基地局に関するＣＩＤ値が決定されうるまで、ＰＦおよびＣＰＩＤ値は近くの基地局を示唆する、ＰＦおよびＣＰＩＤ値の基地局のロケーションは他の近くの基地局を示唆する、等が行われうる。例えば、図５Ｃを参照すると、ユーザが、７１のＣＰＩＤおよびＰＦ１００５５（７１，１００５５）を有する基地局の範囲内のモバイルデバイスに対して呼を始め、呼が（１０３，１０１０４）にハンドオーバされる場合、グローバル一意ＩＤ０ｘ２１０ａ９５ｅが推断されうる。
【００５６】
[0064]推断がほとんど制限のない数の回数、行われうるので、なんらかのしきい値の基準によって、一連の推断、またはいくらかの推断が「削除」または停止されうる。例えば、行われるべき最大数の推断が指定されうる。ローカル基地局の決定が、設定された数のしきい値推断によって行わることができない場合、一致が発見されないことが決定されうる。
【００５７】
[0065]ブロック６１６で、データベースにおけるどの値もブロック６１２からの受信されたローカル一意属性に一致しないこと、またはデータベースにおけるどの一致も、ブロック６１４からの最大数の推断を行った後に発見されないことが決定される場合、実施形態は、ローカル基地局を識別するために網羅的な探索を行うことができる。網羅的な探索を行うことは、本開示で提供されている他の手段を通じて探索するよりも多い電力および時間を消費しうる、地上基地局を探索するための従来の技法と一貫しうる。
【００５８】
[0066]多数の実施形態が、指定の要件にしたがって行われうる。例えば、カスタマイズされたハードウェアも使用されることがあり、および／または、特定の要素が、ハードウェア、（アプレットのようなポータブルソフトウェア等を含む）ソフトウェア、または両方で実装されることができる。さらに、ネットワーク入力／出力デバイスのような他のコンピューティングデバイスへの接続手段が用いられうる。
【００５９】
[0067]基地局の信号捕捉時間を改善する複数の態様を説明してきたが、本開示の様々な態様が実装されうるコンピューティングシステムの例は、次に図７に関して説明されることになる。１つまたは複数の態様にしたがうと、図７に例示されているようなコンピュータシステムは、本明細書で説明されている特徴、方法、および／または方法のステップのうちのいずれかおよび／またはすべてを実装、実行、および／または実施しうるコンピューティングデバイスの一部として組み込まれうる。例えば、コンピュータシステム７００は、ハンドヘルドデバイスのコンポーネントのうちのいくつかを表しうる。ハンドヘルドデバイスは、ワイヤレス受信機またはモデムのような入力知覚ユニット（input sensory unit）を有する任意のコンピューティングデバイスでありうる。ハンドヘルドデバイスの例には、制限されないが、ビデオゲーム機、タブレット、スマートフォン、テレビジョン、およびモバイルデバイスまたはモバイル局を含む。いくつかの実施形態では、システム７００は、上記で説明された方法のうちの任意のものを実行するように構成される。図７は、本明細書で説明されているような、様々な他の実施形態によって提供される方法を実行することができ、および／または、ホストコンピュータシステム、遠隔のキオスク／端末、ＰＯＳ（point-of-sale）デバイス、モバイルデバイス、セットトップボックス、および／またはコンピュータシステムとして機能することができる、コンピュータシステム７００の一実施形態の概略的な例示を提供している。図７は、様々なコンポーネントの一般化された例示を提供することのみを意味されており、それらのコンポーネントのうちのいずれかおよび／またはすべてが、適宜利用されうる。したがって、図７は、比較的別々の、または、比較的より統合された方法で、どのように個々のシステム要素が実装されうるかを広く例示している。
【００６０】
[0068]バス７０５を介して電気的に結合されうる（または、適宜、他の方法で通信状態にありうる）ハードウェア要素を備えるコンピュータシステム７００が図示されている。ハードウェア要素は、制限なく、（デジタル信号処理チップ、グラフィックスアクセラレーションプロセッサ、および／または、同様のもの、のような）１つまたは複数の専用プロセッサおよび／または１つまたは複数の汎用プロセッサを含む１つまたは複数のプロセッサ７１０と、制限なく、カメラ、ワイヤレス受信機、ワイヤレスセンサ、マウス、キーボード、および／または同様のものを含みうる１つまたは複数の入力デバイス７１５と、制限なく、ディスプレイユニット、プリンタ、および／または同様のものを含みうる１つまたは複数の出力デバイス７２０と、を含むことができる。いくつかの実施形態では、１つまたは複数のプロセッサ７１０は、図６に関して上記で説明された機能のサブセットまたはすべてを行うように構成されうる。プロセッサ７１０は、例えば、汎用プロセッサおよび／またはアプリケーションプロセッサを備えることができる。いくつかの実施形態では、プロセッサは、視覚追跡デバイス入力およびワイヤレスセンサ入力を処理する要素に一体化される。
【００６１】
[0069]コンピュータシステム７００は、制限なく、ローカルなおよび／またはネットワークアクセス可能なストレージを備えうる、ならびに／あるいは、制限なく、ディスクドライブ、ドライブアレイ、光記憶デバイス、プログラマブルであり、かつフラッシュ更新可能であるランダムアクセスメモリ（「ＲＡＭ」）および／または読取専用メモリ（「ＲＯＭ」）のような固体状態の記憶デバイス、および／または、同様のものを含みうる、１つまたは複数の非一時的な記憶デバイス７２５をさらに含むことができる（および／または、それらと通信状態にあることができる）。そのような記憶デバイスは、制限なく、様々なファイルシステム、データベース構造、および／または同様のものを含む、あらゆる適切なデータストレージを実装するように構成されうる。
【００６２】
[0070]コンピュータシステム７００はまた、制限なく、モデム、ネットワークカード（ワイヤレスまたはワイヤード（wired））、赤外線通信デバイス、（Ｂｌｕｅｔｏｏｔｈ（登録商標）デバイス、８０２．１１デバイス、ＷｉＦｉ（登録商標）デバイス、ＷｉＭａｘ（登録商標）デバイス、セルラ通信機能などのような）ワイヤレス通信デバイスおよび／またはチップセット、ならびに／あるいは、同様のものを含みうる、通信サブシステム７３０を含むことができる。通信サブシステム７３０は、データが、（一例を挙げると、以下に説明されるネットワークのような）ネットワーク、他のコンピュータシステム、および／または、本明細書で説明されているあらゆる他のデバイスと交換されることを許可しうる。多くの実施形態では、コンピュータシステム７００は、上記で説明されたように、ＲＡＭまたはＲＯＭデバイスを含みうる非一時的なワーキングメモリ７３５をさらに備えることになる。
【００６３】
[0071]コンピュータシステム７００はまた、オペレーティングシステム７４０、デバイスドライバ、実行可能ライブラリ、および／または１つまたは複数のアプリケーションプログラム７４５のような他のコードを含む、ワーキングメモリ７３５内に現在位置するものとして図示されている、ソフトウェア要素を備えることができ、それらは、本明細書でせつめいされているように、様々な実施形態によって提供されるコンピュータプログラムを備えることができ、ならびに／あるいは、他の実施形態によって提供される方法を実行するようにおよび／またはシステムを構成するように設計されうる。単に例として、上記で論じられた（１つまたは複数の）方法に関して説明された１つまたは複数のプロシージャは、図６に関して説明されたような例では、コンピュータ（および／または、コンピュータ内のプロセッサ）によって実行可能なコードおよび／または命令として実行されることができ、一態様では、次いで、このようなコードおよび／または命令は、説明された方法にしたがって１つまたは複数の動作を実行するように汎用コンピュータ（または、他のデバイス）を構成するためおよび／または適応させるために使用されることができる。
【００６４】
[0072]これらの命令および／またはコードのセットは、上記で説明された（１つまたは複数の）記憶デバイス７２５のような、コンピュータ可読記憶媒体上に格納されうる。いくつかのケースでは、記憶媒体は、コンピュータシステム７００のようなコンピュータシステム内に組み込まれうる。他の実施形態では、記憶媒体は、コンピュータシステムとは別個（例えば、コンパクトディスクのような取り外し可能な媒体）であることができ、および／または、記憶媒体が、その上に格納された命令／コードで汎用コンピュータをプログラミングする、構成する、および／または、適応させるために使用されうるように、インストールパッケージ内で提供されることができる。これらの命令は、コンピュータシステム７００によって実行可能である実行可能なコードの形態をとりうる、および／または、（例えば、様々な一般に利用可能なコンパライア、インストールプログラム、圧縮／圧縮解除ユーティリティなどのいずれかを使用して）コンピュータシステム７００上でのコンパイルおよび／またはインストールの際に実行可能なコードの形態をとる、ソースおよび／またはインストール可能なコードの形態をとりうる。
【００６５】
[0073]指定の要件にしたがって、実質的な変形がなされうる。例えば、カスタマイズされたハードウェアも使用されることができ、および／または、特定の要素が、ハードウェア、（アプレットのようなポータブルソフトウェア等を含む）ソフトウェア、または両方で実装されることができる。さらに、ネットワーク入力／出力デバイスのような他のコンピューティングデバイスへの接続手段が用いられうる。
【００６６】
[0074]いくつかの実施形態は、本開示にしたがった方法を実行するために、（コンピュータシステム７００のような）コンピュータシステムを用いることができる。例えば、説明された方法のプロシージャのいくつかまたはすべては、プロセッサ７１０が、ワーキングメモリ７３５中に含まれる（オペレーティングシステム７４０、および／またはアプリケーションプログラム７４５のような他のコードに組み込まれうる）１つまたは複数の命令の１つまたは複数のシーケンスを実行することに応答して、コンピュータシステム７００によって行われうる。このような命令は、（１つまたは複数の）記憶デバイス７２５のうちの１つまたは複数等の、別のコンピュータ可読媒体からワーキングメモリ７３５に読み込まれうる。単に例として、ワーキングメモリ７３５に含まれる命令のシーケンスの実行は、（１つまたは複数の）プロセッサ７１０に、図６に関して説明された実例となる方法では、本明細書で説明された方法の１つまたは複数のプロシージャを行わせうる。
【００６７】
[0075]本明細書で使用される場合、「機械可読媒体」および「コンピュータ可読媒体」という用語は、機械に特定の様式で動作させるデータを提供することに関与する任意の媒体を指す。コンピュータシステム７００を使用して実装される実施形態では、様々なコンピュータ可読媒体は、実行のために（１つまたは複数の）プロセッサ７１０に命令／コードを提供することに従事することができ、および／または、そのような命令／コードを（例えば、信号として）格納および／または搬送するために使用されることができる。多くの実装では、コンピュータ可読媒体は、物理的なおよび／または有形の記憶媒体である。このような媒体は、制限はしないが、不揮発性媒体、揮発性媒体、および伝送媒体を含む多くの形態をとりうる。非揮発性媒体は、例えば、（１つまたは複数の）記憶デバイス７２５のような、光ディスクおよび／または磁気ディスクを含む。揮発性媒体は、制限なく、ワーキングメモリ７３５のようなダイナミックメモリを含む。伝送媒体は、制限なく、同軸ケーブル、バス７０５を備えるワイヤを含む銅線および光ファイバ、ならびに通信サブシステム７３０の様々なコンポーネント（および／または、それによって通信サブシステム７３０が他のデバイスとの通信を提供する媒体）を含む。したがって、伝送媒体はまた、（制限なく、電波通信中および赤外線データ通信中に発生するもののような、電波（radio）、音波、および／または、光波を含む）波の形態もとりうる。
【００６８】
[0076]物理的なおよび／または有形のコンピュータ可読媒体の一般的な形態は、例えば、フロッピー（登録商標）ディスク、フレキシブルディスク、ハードディスク、磁気テープまたはあらゆる他の磁気媒体、ＣＤ−ＲＯＭ、あらゆる他の光媒体、パンチカード、ペーパーテープ、ホールのパターンを有するあらゆる他の物理媒体、ＲＡＭ、ＰＲＯＭ、ＥＰＲＯＭ、ＦＬＡＳＨ−ＥＰＲＯＭ、あらゆる他のメモリチップまたはカートリッジ、以下で説明されるような搬送波、あるいは、コンピュータが命令および／またはコードを読み取ることができるあらゆる他の媒体を含む。
【００６９】
[0077]コンピュータ可読媒体の様々な形態は、１つまたは複数の命令の１つまたは複数のシーケンスを、実行のために（１つまたは複数の）プロセッサ７１０に搬送することに従事しうる。単に例として、命令は、最初に、遠隔コンピュータの磁気ディスクおよび／または光ディスク上で搬送されうる。遠隔コンピュータは、そのダイナミックメモリ中に命令をロードし、コンピュータシステム７００によって受信および／または実施されるように、伝送媒体をわたって、その命令を信号として送ることができる。電磁信号、音響信号、光信号、および／または、同様のものの形態でありうるこれらの信号は、すべてが搬送波の例であり、その搬送波上で命令が本発明の様々な実施形態にしたがって符号化されうる。
【００７０】
[0078]通信サブシステム７３０（および／または、そのコンポーネント）は概して、信号を受信することになり、その後、バス７０５は、その信号（および／または、信号によって搬送されるデータ、命令、等）を、（１つまたは複数の）プロセッサ７１０が命令をそこから検索および実行するワーキングメモリ７３５に搬送しうる。ワーキングメモリ７３５によって受信された命令は、オプション的に、（１つまたは複数の）プロセッサ７１０による実行の前または後のいずれかに、非一時的な記憶デバイス７２５上に格納されうる。メモリ７３５は、本明細書で説明されている方法およびデータベースの任意のものにしたがって少なくとも１つのデータベースを含むことができる。したがってメモリ７３５は、図５Ｃおよび６、ならびに関連する説明を含む本開示のいずれかで論じられた値の任意のものを格納することができる。
【００７１】
[0079]図６で説明された方法は、図７における様々なブロックによって実行されうる。例えば、プロセッサ７１０は、図６００におけるブロックの機能の任意のものを行うように構成されうる。記憶デバイス７２５は、本明細書で触れられているブロックのいずれか内で論じられている、グローバル一意属性またはローカル一意属性のような、中間にある結果を格納するように構成されうる。記憶デバイス７２５はまた、本開示のいずれかと一貫するデータベースを含むこともできる。メモリ７３５は同様に、本明細書で触れられているブロックのいずれかで説明されている機能の任意のものを行うために必要な信号、信号の表現、またはデータベース値を記録するように構成されうる。ＲＡＭのような、一時的または揮発性のメモリに格納される必要がありうる結果もまた、メモリ７３５に含まれることができ、記憶デバイス７２５に記憶されうるものと類似のあらゆる中間にある結果を含むことができる。入力デバイス７１５は、本明細書で説明されている本開示にしたがって、衛星および／または基地局からワイヤレス信号を受信するように構成されうる。出力デバイス７２０は、本開示のいずれかにしたがって、画像を表示し、テキストをプリントし、信号を送信し、および／または他のデータを出力するように構成されうる。
【００７２】
[0080]上記で論じられた方法、システム、およびデバイスは、例である。様々な実施形態は、適宜、様々なプロシージャまたはコンポーネントを省略、置換、または追加することができる。例えば、代わりの構成では、説明された方法が、説明されたものとは異なる順序で行われ、および／または、様々なステージが追加、省略、および／または組み合わせられうる。また、ある特定の実施形態に関して説明された特徴は、様々な他の実施形態において組み合わせられうる。実施形態の異なる態様および要素は、類似の方法で組み合わせられうる。また、技術が進化し、これにより要素の多くは、本開示の範囲をこれらの特定の例に制限しない例である。
【００７３】
[0081]実施形態の徹底的な理解を提供するために、説明において特定の詳細が与えられる。しかしながら、実施形態は、これらの特定の詳細なしに実施されうる。例えば、周知の回路、プロセス、アルゴリズム、構造、および技法は、実施形態を曖昧することを回避するために、不必要な詳細なしで図示されてきた。この説明は、実例となる実施形態のみを提供しており、本発明の範囲、適用性、または、構成を制限するように意図されていない。むしろ、実施形態の先の説明は、本発明の実施形態を実行するための実施を可能にする（enabling）説明を当業者に提供するだろう。本発明の趣旨および範囲から逸脱することなく、要素の機能および配列に様々な変更がなされうる。
【００７４】
[0082]また、いくつかの実施形態は、フロー図またはブロック図として描かれたプロセスとして説明された。各々は、シーケンシャルなプロセスとして動作を説明ししうるけれども、動作の多くは、並列に、または、同時に行われることができる。加えて、動作の順序は再配列されうる。プロセスは、図には含まれていない追加のステップを有することができる。さらに、方法の実施形態は、ハードウェア、ソフトウェア、ファームウェア、ミドルウェア、マイクロコード、ハードウェア記述言語、または、それらのあらゆる組み合わせによって実行されうる。ソフトウェア、ファームウェア、ミドルウェア、またはマイクロコードで実行されるとき、関連タスクを行うためのプログラムコードまたはコードセグメントは、記憶媒体のようなコンピュータ可読媒体に格納されうる。プロセッサは、関連タスクを実行することができる。
【００７５】
[0083]いくつかの実施形態を説明してきたが、本開示の趣旨から逸脱することなく、様々な変更例、代わりの構造、および等価物が使用されうる。例えば、上記の要素は、単に、より大きいシステムのコンポーネントであることができ、ここにおいて、他の規則は、本発明のアプリケーションよりも優先される、または、他の方法で本発明のアプリケーションを変更することができる。また、多くのステップが、上記の要素が考慮される前、最中、またはその後に行われうる。したがって、上記の説明は、本開示の範囲を制限しない。
【００７６】
[0084]様々な例が説明されてきた。これらの例および他の例は、以下の特許請求の範囲の範囲内にある。
以下に、本願出願の当初の特許請求の範囲に記載された発明を付記する。
［Ｃ１］
モバイル局によって基地局のアイデンティティを捕捉する時間を改善するために方法であって、
前記基地局のグローバル一意属性、前記基地局の第１のローカル一意属性、および前記基地局の第２のローカル一意属性を含むデータを要求することと、
前記要求に応答してデータを受信することと、前記データは、少なくとも前記第１のローカル一意属性および前記第２のローカル一意属性を含む、
前記データが前記グローバル一意属性を含まなかったと決定することと、
前記第１のローカル一意属性および前記第２のローカル一意属性に少なくとも部分的に基づいて、前記基地局の前記アイデンティティを捕捉することと、
を備える、方法。
［Ｃ２］
前記第１のローカル一意属性および第２のローカル一意属性を、データベースにおける値と比較することをさらに備え、ここにおいて前記データベースは、複数の項目を含み、前記複数の項目の各々は、基準基地局に関連するデータのトリプレットを含む、Ｃ１に記載の方法。
［Ｃ３］
前記データのトリプレットは、基準グローバル一意属性、第１の基準ローカル一意属性、および第２の基準ローカル一意属性を含み、ここにおいて前記基準グローバル一意属性、前記第１の基準ローカル一意属性、および前記第２の基準ローカル一意属性は、前記基準基地局に関連付けられる、Ｃ２に記載の方法。
［Ｃ４］
所定の長さの時間、前記データベースに留まっていた項目の前記データベースを除去することと、
前記モバイル局に地理的に近接する基地局に関連する現在の項目の前記データベースを更新することと、
をさらに備える、Ｃ２に記載の方法。
［Ｃ５］
前記基地局の前記グローバル一意属性は、前記基地局のセルＩＤを備え、前記基地局の前記第１のローカル一意属性は、前記基地局のセルパラメータＩＤを備え、前記基地局の前記第２のローカル一意属性は、前記基地局の一次周波数を備える、Ｃ１に記載の方法。
［Ｃ６］
前記モバイル局は、ＴＤ−ＳＣＤＭＡまたはＵＭＴＳ−ＦＤＤ環境にしたがって動作する、Ｃ１に記載の方法。
［Ｃ７］
前記第１のローカル一意属性または前記第２のローカル一意属性に基づいて、前記グローバル一意属性の前記値を決定するために少なくとも１つの推断を行うことをさらに備える、Ｃ１に記載の方法。
［Ｃ８］
前記少なくとも１つの推断を行うことは、追加の推断を行うことをさらに備え、前記追加の推断の数は、少なくとも１つの所定の基準に基づいて制限される、Ｃ７に記載の方法。
［Ｃ９］
基地局の信号捕捉時間を改善するように構成された装置であって、
基地局のグローバル一意属性、前記基地局の第１のローカル一意属性、および前記基地局の第２のローカル一意属性を含むデータを要求するように構成された送信機と、
前記要求に応答してデータを受信するように構成された受信機と、前記データは、少なくとも前記第１のローカル一意属性および前記第２のローカル一意属性を含む、
前記データが前記グローバル一意属性を含まなかったと決定し、
前記第１のローカル一意属性および前記第２のローカル一意属性に少なくとも部分的に基づいて、前記基地局のアイデンティティを捕捉する、
ように構成されたプロセッサと
を備える、装置。
［Ｃ１０］
前記プロセッサは、前記第１のローカル一意属性および第２のローカル一意属性を、データベースにおける値と比較するようにさらに構成され、ここにおいて前記データベースは、複数の項目を含み、前記複数の項目の各々は、基準基地局に関連するデータのトリプレットを含む、Ｃ９に記載の装置。
［Ｃ１１］
前記データのトリプレットは、基準グローバル一意属性、第１の基準ローカル一意属性、および第２の基準ローカル一意属性を含み、前記基準グローバル一意属性、前記第１の基準ローカル一意属性、および前記第２の基準ローカル一意属性は、前記基準基地局に関連付けられる、Ｃ１０に記載の装置。
［Ｃ１２］
前記プロセッサは、
所定の長さの時間、前記データベースに留まっていた項目の前記データベースを除去し、
前記モバイル局に地理的に近接する基地局に関連する現在の項目の前記データベースを更新する、
ようにさらに構成される、Ｃ１０に記載の装置。
［Ｃ１３］
前記基地局の前記グローバル一意属性は、前記基地局のセルＩＤを備え、前記基地局の前記第１のローカル一意属性は、前記基地局のセルパラメータＩＤを備え、前記基地局の前記第２のローカル一意属性は、前記基地局の一次周波数を備える、Ｃ９に記載の装置。
［Ｃ１４］
前記モバイル局は、ＴＤ−ＳＣＤＭＡまたはＵＭＴＳ−ＦＤＤ環境にしたがって動作する、Ｃ９に記載の装置。
［Ｃ１５］
前記プロセッサは、前記第１のローカル一意属性または前記第２のローカル一意属性に基づいて、前記グローバル一意属性の前記値を決定するために少なくとも１つの推断を行うようにさらに構成される、Ｃ９に記載の方法。
［Ｃ１６］
前記プロセッサは、追加の推断を行うようにさらに構成され、前記追加の推断の数は、少なくとも１つの所定の基準に基づいて制限される、Ｃ１５に記載の装置。
［Ｃ１７］
基地局の信号捕捉時間を改善するように構成された装置であって、
基地局のグローバル一意属性、前記基地局の第１のローカル一意属性、および前記基地局の第２のローカル一意属性を含むデータを要求するための手段と、
前記要求に応答してデータを受信するための手段と、前記データは、少なくとも前記第１のローカル一意属性および前記第２のローカル一意属性を含む、
前記データが前記グローバル一意属性を含まなかったと決定するための手段と、
前記第１のローカル一意属性および前記第２のローカル一意属性に少なくとも部分的に基づいて、前記基地局のアイデンティティを捕捉するための手段と、
を備える、装置。
［Ｃ１８］
前記第１のローカル一意属性および第２のローカル一意属性を、データベースにおける値と比較するための手段をさらに備え、ここにおいて前記データベースは、複数の項目を含み、前記複数の項目の各々は、基準基地局に関連するデータのトリプレットを含む、Ｃ１７に記載の装置。
［Ｃ１９］
前記データのトリプレットは、基準グローバル一意属性、第１の基準ローカル一意属性、および第２の基準ローカル一意属性を含み、前記基準グローバル一意属性、前記第１の基準ローカル一意属性、および前記第２の基準ローカル一意属性は、前記基準基地局に関連付けられる、Ｃ１８に記載の装置。
［Ｃ２０］
所定の長さの時間、前記データベースに留まっていた項目の前記データベースを除去するための手段と、
前記モバイル局に地理的に近接する基地局に関連する現在の項目の前記データベースを更新するための手段と、
さらに備える、Ｃ１８に記載の装置。
［Ｃ２１］
前記基地局の前記グローバル一意属性は、前記基地局のセルＩＤを備え、前記基地局の前記第１のローカル一意属性は、前記基地局のセルパラメータＩＤを備え、前記基地局の前記第２のローカル一意属性は、前記基地局の一次周波数を備える、Ｃ１７に記載の装置。
［Ｃ２２］
前記モバイル局は、ＴＤ−ＳＣＤＭＡまたはＵＭＴＳ−ＦＤＤ環境にしたがって動作する、Ｃ１７に記載の装置。
［Ｃ２３］
前記第１のローカル一意属性または前記第２のローカル一意属性に基づいて、前記グローバル一意属性の前記値を決定するために少なくとも１つの推断を行うための手段をさらに備える、Ｃ１７に記載の装置。
［Ｃ２４］
前記少なくとも１つの推断を行うための手段は、追加の推断を行うための手段をさらに備え、前記追加の推断の数は、少なくとも１つの所定の基準に基づいて制限される、Ｃ２３に記載の装置。
［Ｃ２５］
プロセッサ可読媒体上に存在し、プロセッサ可読命令を備えるコンピュータプログラム製品であって、前記プロセッサ可読命令はプロセッサに、
基地局のグローバル一意属性、前記基地局の第１のローカル一意属性、および前記基地局の第２のローカル一意属性を含むデータを要求することと、
前記要求に応答してデータを受信することと、前記データは、少なくとも前記第１のローカル一意属性および前記第２のローカル一意属性を含む、
前記データが前記グローバル一意属性を含まなかったと決定することと、
前記第１のローカル一意属性および前記第２のローカル一意属性に少なくとも部分的に基づいて、前記基地局のアイデンティティを捕捉することと、
を行わせるように構成される、コンピュータプログラム製品。
［Ｃ２６］
前記プロセッサ可読命令は、前記プロセッサに、前記第１のローカル一意属性および第２のローカル一意属性を、データベースにおける値と比較することをさらに行わせ、ここにおいて前記データベースは、複数の項目を含み、前記複数の項目の各々は、基準基地局に関連するデータのトリプレットを含む、Ｃ２５に記載のコンピュータプログラム製品。
［Ｃ２７］
前記データのトリプレットは、基準グローバル一意属性、第１の基準ローカル一意属性、および第２の基準ローカル一意属性を含み、前記基準グローバル一意属性、前記第１の基準ローカル一意属性、および前記第２の基準ローカル一意属性は、前記基準基地局に関連付けられる、Ｃ２６に記載のコンピュータプログラム製品。
［Ｃ２８］
前記プロセッサ可読命令は、前記プロセッサに、
所定の長さの時間、前記データベースに留まっていた項目の前記データベースを除去することと、
前記モバイル局に地理的に近接する基地局に関連する現在の項目の前記データベースを更新することと、
を行わせる、Ｃ２６に記載のコンピュータプログラム製品。
［Ｃ２９］
前記基地局の前記グローバル一意属性は、前記基地局のセルＩＤを備え、前記基地局の前記第１のローカル一意属性は、前記基地局のセルパラメータＩＤを備え、前記基地局の前記第２のローカル一意属性は、前記基地局の一次周波数を備える、Ｃ２５に記載のコンピュータプログラム製品。
［Ｃ３０］
前記モバイル局は、ＴＤ−ＳＣＤＭＡまたはＵＭＴＳ−ＦＤＤ環境にしたがって動作する、Ｃ２５に記載のコンピュータプログラム製品。
［Ｃ３１］
前記プロセッサ可読命令は、前記プロセッサに、前記第１のローカル一意属性または前記第２のローカル一意属性に基づいて、前記グローバル一意属性の前記値を決定するために少なくとも１つの推断を行うことをさらに行わせる、Ｃ２５に記載のコンピュータプログラム製品。
［Ｃ３２］
前記プロセッサ可読命令は、前記プロセッサに、追加の推断を行うことをさらに行わせ、前記追加の推断の数は、少なくとも１つの所定の基準に基づいて制限される、Ｃ３１に記載のコンピュータプログラム製品。
【図１】
0005893805.tif 000002
【図２】
0005893805.tif 000003
【図３】
0005893805.tif 000004
【図４】
0005893805.tif 000005
【図５Ａ】
0005893805.tif 000006
【図５Ｂ】
0005893805.tif 000007
【図５Ｃ】
0005893805.tif 000008
【図６】
0005893805.tif 000009
【図７】
0005893805.tif 000010